(57)【要約】【課題】屋根を傷付けてしまうことを防止しつつソーラーパネルと屋根との間の空間を遮蔽することのできる空間遮蔽具を提供する。【解決手段】空間遮蔽具１０は、磁力により吸引される材料から為る屋根４０に設置され太陽エネルギーから電力を創り出すソーラーパネル３０の周縁部（３２）に取り付け可能とされた取付部１１と、屋根４０とソーラーパネル３０との間を遮蔽すべく取付部１１から屋根４０に向けて伸びる仕切板部１２と、仕切板部１２の屋根４０側の端部に設けられ永久磁石の磁力を利用して屋根４０に吸着する吸着固定部１３と、を備える。【選択図】図４
2015123005.tif 000002
【特許請求の範囲】
【請求項１】
磁力により吸引される材料から為る屋根に設置され太陽エネルギーから電力を創り出すソーラーパネルの周縁部に取り付け可能とされた取付部と、
前記屋根と前記ソーラーパネルとの間を遮蔽すべく前記取付部から前記屋根に向けて伸びる仕切板部と、
前記仕切板部の前記屋根側の端部に設けられ永久磁石の磁力を利用して前記屋根に吸着する吸着固定部と、を備えることを特徴とする空間遮蔽具。
【請求項２】
前記屋根は、長尺な凹部と長尺な凸部とがそれぞれの長尺方向に直交する直交方向で交互に連続して並列され、
前記仕切板部は、前記吸着固定部を前記凹部の底面に吸着させた状態において、前記長尺方向で見て前記凹部に沿う形状とされていることを特徴とする請求項１に記載の空間遮蔽具。
【請求項３】
前記吸着固定部は、前記凹部の内方において前記底面に密着可能な大きさ寸法とされていることを特徴とする請求項２に記載の空間遮蔽具。
【請求項４】
前記仕切板部は、金属材料から為り平滑な面を形成する平板であることを特徴とする請求項１から請求項３のいずれか１項に記載の空間遮蔽具。
【請求項５】
前記仕切板部は、網目状とされた平板であることを特徴とする請求項１から請求項３のいずれか１項に記載の空間遮蔽具。
【請求項６】
前記ソーラーパネルは、太陽エネルギーから電力を創り出す発電パネル部を有し、
前記周縁部は、前記発電パネル部の表面上を伸びる上縁片部分を有し、
前記取付部は、前記発電パネル部と前記上縁片部分との間に差し込むことで前記周縁部に固定される爪片部分を有することを特徴とする請求項１から請求項５のいずれか１項に記載の空間遮蔽具。
【請求項７】
前記仕切板部は、前記爪片部分が前記発電パネル部と前記上縁片部分との間に差し込まれて前記ソーラーパネルの表面側で前記周縁部に取り付けられた前記取付部から前記底面に吸着された前記吸着固定部へと向かうに連れて、前記ソーラーパネルから遠ざかる傾斜面を形成することを特徴とする請求項６に記載の空間遮蔽具。
【請求項８】
前記取付部は、前記爪片部分と前記仕切板部との相対的な角度関係を変更可能としつつ前記爪片部分と前記仕切板部とを繋ぐ自在連結部分を有することを特徴とする請求項６または請求項７に記載の空間遮蔽具。
【請求項９】
前記取付部は、前記周縁部に固定される取付固定部分と、前記取付固定部分と前記仕切板部との相対的な角度関係を変更可能としつつ前記取付固定部分と前記仕切板部とを繋ぐ自在連結部分と、を有することを特徴とする請求項１から請求項５のいずれか１項に記載の空間遮蔽具。
【請求項１０】
前記屋根は、長尺な凹部と長尺な凸部とがそれぞれの長尺方向に直交する直交方向で交互に連続して並列され、
前記爪片部分または前記取付固定部分は、前記直交方向で見て、前記凹部の開放上部の長さ寸法よりも小さな大きさ寸法とされていることを特徴とする請求項６から請求項９のいずれか１項に記載の空間遮蔽具。
【発明の詳細な説明】
【技術分野】
【０００１】
本発明は、太陽エネルギーから電力を創り出すソーラーパネルと、そのソーラーパネルが設置された屋根と、の間に形成される空間を遮蔽する空間遮蔽具に関する。
【背景技術】
【０００２】
近年、屋根の上にソーラーパネルを設置して、太陽エネルギーを電力に変換するソーラー発電を行うことが考えられている。このようなソーラーパネルでは、設置された屋根との間に形成された空間において鳥が巣作りしてしまうことがある。このため、ソーラーパネルに装着可能な鳥害防止具が考えられている（例えば、特許文献１参照）。その鳥害防止具は、ソーラーパネルの外周面に装着可能とされた取付部と、その下方部分において櫛歯状とされた長尺薄板状の仕切り部と、を備えている。鳥害防止具では、取付部でソーラーパネルの外周面に装着されると、仕切り部がソーラーパネルと屋根との間の空間を囲繞して封鎖することにより、その空間に鳥が侵入することを防止する。
【先行技術文献】
【特許文献】
【０００３】
【特許文献１】実用新案登録第３１７４１７３号公報
【発明の概要】
【発明が解決しようとする課題】
【０００４】
しかしながら、上記した鳥害防止具は、ソーラーパネルの外周面に装着された取付部の下方部分に櫛歯状とされた長尺薄板状の仕切り部が設けられているものであり、その仕切り部が屋根の表面形状をなぞるように折曲あるいは撓曲させて鳥の侵入を完全に防止するものであることから、それらを可能とする硬さを有する金属のような材料で形成する必要がある。このため、その鳥害防止具では、仕切り部に鳥が接触する等により圧力がかかると、当該仕切り部が屋根にぶつかってしまったり、当該仕切り部が屋根を引っ掻いてしまったりして、屋根を傷付けてしまう虞がある。
【０００５】
本発明は、上記の事情に鑑みて為されたもので、屋根を傷付けてしまうことを防止しつつソーラーパネルと屋根との間の空間を遮蔽することのできる空間遮蔽具を提供することにある。
【課題を解決するための手段】
【０００６】
請求項１に記載の空間遮蔽具は、磁力により吸引される材料から為る屋根に設置され太陽エネルギーから電力を創り出すソーラーパネルの周縁部に取り付け可能とされた取付部と、前記屋根と前記ソーラーパネルとの間を遮蔽すべく前記取付部から前記屋根に向けて伸びる仕切板部と、前記仕切板部の前記屋根側の端部に設けられ永久磁石の磁力を利用して前記屋根に吸着する吸着固定部と、を備えることを特徴とする。
【発明の効果】
【０００７】
本発明に係る空間遮蔽具では、屋根を傷付けてしまうことを防止しつつソーラーパネルと屋根との間の空間を遮蔽することができる。
【図面の簡単な説明】
【０００８】
【図１】本発明に係る空間遮蔽具の一例としての空間遮蔽具１０を取り付ける対象とするソーラーパネルの一例としてのソーラーパネル３０が屋根４０に設置された様子を示す説明図である。
【図２】屋根４０に設置されたソーラーパネル３０と当該屋根４０との間に空間５１が形成される様子を示す説明図である。
【図３】ソーラーパネル３０の構成を、図１のＩ−Ｉ線に沿って得られた断面で示す説明図である。
【図４】本発明に係る空間遮蔽具の一例としての空間遮蔽具１０の構成を示す説明図である。
【図５】ソーラーパネル３０と屋根４０との間に空間遮蔽具１０が取り付けられた様子を示す図１と同様の説明図である。
【図６】ソーラーパネル３０と屋根４０との間に空間遮蔽具１０が取り付けられて空間５１が遮蔽された様子を示す図２と同様の説明図である。
【図７】ソーラーパネル３０と屋根４０との間に空間遮蔽具１０が取り付けられて空間５１が遮蔽された様子を、図６のII−II線に沿って得られた断面で示す説明図である。
【図８】空間遮蔽具１０とは異なる構成とされた空間遮蔽具１０Ａを示す図４と同様の説明図である。
【図９】空間遮蔽具１０とは異なる構成とされた空間遮蔽具１０Ｂの取付部１１Ｂの構成を示す説明図である。
【発明を実施するための形態】
【０００９】
以下に、本願発明に係る空間遮蔽具の実施例について図面を参照しつつ説明する。
【実施例】
【００１０】
本願発明に係る空間遮蔽具の一実施例としての空間遮蔽具１０を図１から図７を用いて説明する。なお、図２は、ソーラーパネル３０が設置された屋根４０の外側から長尺方向Ｄｌで見た様子に相当する。また、図３および図７では、支持枠部３２の構成を理解容易とするために、発電パネル部３１を二点鎖線で外形形状だけ示すものとしている。さらに、図５および図６では、空間遮蔽具１０を取り付けた状態を理解容易とするために、２つの空間遮蔽具１０を取り付けた様子を示している。
【００１１】
先ず、空間遮蔽具１０が取付対象とするソーラーパネル３０と、そのソーラーパネル３０が設置される屋根４０の概要を、図１から図３を用いて説明する。本願発明に係る空間遮蔽具１０は、磁力により吸着される材料から為る屋根４０に設置されているソーラーパネル３０を取付対象とする。その屋根４０は、本実施例では、図１および図２に示すように、長尺な複数の底面４１と長尺な複数の上面４２とがそれぞれの長尺方向Ｄｌに直交する直交方向Ｄｃで交互に連続して並列され、隣接する各底面４１と各上面４２とが長尺な複数の側面４３で架け渡されて形成されている。その直交方向Ｄｃは、屋根４０が全体として位置する平面において、長尺方向Ｄｌに直交するものとなる。このため、屋根４０では、底面４１とその両側の２つの側面４３とにより長尺な凹部４４が形成され、かつ上面４２とその両側の２つの側面４３とにより長尺な凸部４５が形成されており、複数の長尺な凹部４４と複数の長尺な凸部４５とが直交方向Ｄｃで交互に連続して並列された構造とされている。このような屋根４０としては、折半屋根や瓦棒屋根等が挙げられる。屋根４０は、本実施例では、金属材料で形成されており、その各側面４３は、底面４１に向かうに連れて各凹部４４の幅を狭くしかつ上面４２に向かうに連れて各凸部４５の幅を狭くするような傾斜面とされている。
【００１２】
各ソーラーパネル３０は、複数の取付機構４６を介して屋根４０（その上面４２）に取り付けられている。その各取付機構４６は、固定基部４６ａ（図２参照）が屋根４０の凸部４５（上面４２）を跨ぎつつ当該凸部４５に取り付けられており、その固定基部４６ａから伸びる支持固定部４６ｂ（図２参照）でソーラーパネル３０（その後述する支持枠部３２）を支持している。各取付機構４６は、互いに等しい高さ位置、すなわち屋根４０の上面４２から等しい間隔となる位置で各ソーラーパネル３０を支持している。このため、各ソーラーパネル３０は、この屋根４０の表面に沿って設置されており、互いに等しい平面上に位置されている。
【００１３】
この各ソーラーパネル３０は、図１および図３に示すように、発電パネル部３１が支持枠部３２に支持されて構成されている。その発電パネル部３１は、補強基板上に光エネルギーを直接電力に変換する電力機器である太陽電池（セル）が複数枚並べられつつそれらが接続され、その上に保護ガラスが設けられて構成されている。発電パネル部３１は、本実施例では、矩形の板状とされている。各発電パネル部３１（ソーラーパネル３０）は、図示は略すが、ソーラー発電用のパワーコンディショナ（パワコン）を介して出力線に接続されている。その出力線は、例えば、各ソーラーパネル３０（発電パネル部３１）が設置された屋根４０を有する建物への配電路に接続されたり、既存の配電路を介して電力会社等に接続されたりする。このため、各ソーラーパネル３０（発電パネル部３１）は、発電した電力を設置された建物や電力会社等に出力することができる。各ソーラーパネル３０では、この発電パネル部３１が支持枠部３２に支持されている。
【００１４】
その支持枠部３２は、矩形の板状とされた発電パネル部３１の周辺を取り囲むように設けられている（図１参照）。支持枠部３２は、図３に示すように、発電パネル部３１の周辺を支持する支持箇所３２ａと、それを支える枠台箇所３２ｂと、を有する。支持箇所３２ａは、発電パネル部３１が載せられる支持台部分３２ｃと、その上方に覆い被さるように設けられた上縁片部分３２ｄと、を有し、断面形状がＵ字状とされている。この支持箇所３２ａは、Ｕ字状の内方、すなわち支持台部分３２ｃと上縁片部分３２ｄとの間で発電パネル部３１の周辺部を挟んで支持することが可能とされている。支持箇所３２ａでは、図示は略すがシール材を介在させつつ発電パネル部３１の周辺部を挟んで支持するものとしてもよい。
【００１５】
このため、上縁片部分３２ｄは、支持箇所３２ａで発電パネル部３１の周辺部を支持している状態において、発電パネル部３１の全周に渡って当該発電パネル部３１の周辺の表面上へと進出されている。この上縁片部分３２ｄは、本実施例では、発電パネル部３１の中心へ向かうに連れて発電パネル部３１の表面側へ向けて厚さ寸法を漸減させるように、先端部分が傾斜されている。支持箇所３２ａでは、発電パネル部３１の周辺部を支持している状態において、僅かではあるが発電パネル部３１（その表面）と上縁片部分３２ｄとの間にスリット状の隙間を形成している。
【００１６】
枠台箇所３２ｂは、本実施例では、支持箇所３２ａの下方へ伸びる支持壁部分３２ｅと、その下端に設けられたフランジ部分３２ｆと、を有する。その支持壁部分３２ｅは、支持箇所３２ａの下方において、内側と外側とで間隔を置いて対を為す２つの板状部材で構成されており、強度を確保しつつ軽量化を図っている。フランジ部分３２ｆは、支持壁部分３２ｅの下端において内方へ向けて突出する板状を呈し、支持枠部３２における強度の向上を図っている。このような構成であることから、本実施例では、支持枠部３２が、各ソーラーパネル３０の周縁部として機能する。
【００１７】
このように構成されたソーラーパネル３０は、支持枠部３２が対応する取付機構４６の支持固定部４６ｂ（図２参照）に固定される。その各取付機構４６は、上述したように、固定基部４６ａが屋根４０の凸部４５を跨ぎつつ当該凸部４５に取り付けられて、屋根４０に固定される。これにより、各ソーラーパネル３０は、複数の取付機構４６（図２参照）を介して、複数の長尺な凹部４４と複数の長尺な凸部４５とが直交方向Ｄｃで交互に連続して並列された構造の屋根４０（その上面４２）に取り付けられる。
【００１８】
このため、各ソーラーパネル３０では、図２にドットを付して示すように、屋根４０に取り付けられた状態において、その屋根４０との間に当該屋根４０の各凹部４４の形状に沿う空間５１を形成してしまう。なお、この図２（図１も同様である）では、形成される空間５１のうち図示された範囲における中央の２つのみを示しているが、各ソーラーパネル３０の下方であればこれら２つの空間５１と同様に形成される。その空間５１は、外方に通じていることから、風が吹き込んでしまったり、鳥が侵入してしまったりする虞がある。この空間５１に風が吹き込むと、各ソーラーパネル３０を屋根４０から浮き上がらせる力を生じさせてしまう場合があり、あまりに風が強いと各ソーラーパネル３０（その支持枠部３２）や各取付機構４６やそれが取り付けられた屋根４０を破損させてしまう虞がある。また、空間５１に鳥が侵入すると、その鳥が巣作りしてしまう虞がある。本発明に係る空間遮蔽具１０は、これらのことを防止することを目的として考えたものである。
【００１９】
その空間遮蔽具１０は、図４に示すように、取付部１１と仕切板部１２と吸着固定部１３とを備える。取付部１１は、各ソーラーパネル３０の周縁部、すなわち各ソーラーパネル３０の支持枠部３２に取り付け可能とされている。この取付部１１は、本実施例では、爪片部分１１ａと自在連結部分１１ｂとを有する。その爪片部分１１ａは、支持枠部３２（周縁部）に取り付けにより固定される取付固定部分として機能する箇所であり、先端箇所がＵ字形状に折り返されて形成されている。爪片部分１１ａは、本実施例では、Ｕ字形状に折り返された折返箇所が、厚さ寸法が漸減された支持枠部３２の支持箇所３２ａの上縁片部分３２ｄの形状に合わせて、折り返しの頂点位置に向かうに連れて発電パネル部３１の表面側へ向けて厚さ寸法を漸減させるように傾斜されている。その爪片部分１１ａは、Ｕ字形状に折り返された先端箇所を、支持箇所３２ａで発電パネル部３１の周辺部を支持している支持枠部３２における発電パネル部３１（その表面）と上縁片部分３２ｄとの間のスリット状の隙間に差し込むことにより、上縁片部分３２ｄを覆うように当該上縁片部分３２ｄに引っ掛けて固定することが可能とされている（図５および図７参照）。爪片部分１１ａは、上縁片部分３２ｄに合わせて厚さ寸法を漸減されていることから、その上縁片部分３２ｄに取り付けた状態において、ソーラーパネル３０（発電パネル部３１）の表面上に生じさせる段差を小さなものとすることができる（図７参照）。
【００２０】
この爪片部分１１ａ（取付固定部分）は、自在連結部分１１ｂを介して仕切板部１２に連結されている。その自在連結部分１１ｂは、爪片部分１１ａと仕切板部１２との角度関係すなわち仕切板部１２に対する爪片部分１１ａの角度を変更自在としつつ、爪片部分１１ａと仕切板部１２とを繋ぐ。自在連結部分１１ｂは、本実施例では、ヒンジ機構により構成されている。
【００２１】
このように構成された取付部１１（爪片部分１１ａ（取付固定部分））は、本実施例では、仕切板部１２の後述する上縁辺１２ａよりも小さな長さ寸法とされている。また、取付部１１は、本実施例では、屋根４０に設置されたソーラーパネル３０の支持枠部３２に取り付けられた状態において、直交方向Ｄｃで見て、各凹部４４の開放された開放上部の長さ寸法すなわち互いに隣り合う２つの上面４２の間の寸法よりも小さな大きさ寸法とされている。この取付部１１は、本実施例では、強度および耐久性の観点から金属材料を用いて形成されている。このため、取付部１１の爪片部分１１ａ（取付固定部分）では、図示は略すが、取り付けられる支持枠部３２（その上縁片部分３２ｄ）との間に保護吸収部材を介在させる構成としてもよい。そして、取付部１１（爪片部分１１ａ（取付固定部分））は、本実施例では、仕切板部１２の後述する上縁辺１２ａにおいて、互いに間隔をおいて２つ設けられている。
【００２２】
その仕切板部１２は、金属材料から為り平滑な面を形成する平板状を呈する。ここで、平滑な面を形成するとは、孔が設けられていないことを言う。このため、仕切板部１２は、風を通すことが防止されている。
【００２３】
また、仕切板部１２は、後述するように空間遮蔽具１０がソーラーパネル３０に取り付けられた状態において、長尺方向Ｄｌで見てソーラーパネル３０が設置された屋根４０の凹部４４に沿う形状とされている。ここで、仕切板部１２では、屋根４０に対する取付角度が設定されており、空間遮蔽具１０がソーラーパネル３０に取り付けられると、その設定された取付角度で凹部４４内に位置されることとなる。その取付角度は、屋根４０が全体として存在する平面に対する角度、すなわち直交方向Ｄｃと直交する平面上であって長尺方向Ｄｌに対する角度とする。すなわち、取付角度が９０度である場合、屋根４０に対して垂直に立つ（本実施例ではソーラーパネル３０の周縁部（支持枠部３２）の周壁部分に沿う）ものとなり、取付角度が９０度未満で零度よりも大きい場合、屋根４０（当該周壁部分）に対して傾斜するものとなる。本実施例では、取付角度は、９０度未満で零度よりも大きく設定されている。
【００２４】
このため、仕切板部１２は、取付対象となるソーラーパネル３０およびそれが設置された屋根４０がともに等しい構成とされていても、設定された取付角度に応じて長尺方向Ｄｌで見て凹部４４に沿う形状が変化することとなる。このことから、仕切板部１２は、凹部４４内で設定された取付角度とされた状態において、凹部４４を形成する底面４１と両側面４３とに近接しつつそれぞれに沿って伸びる縁辺を有するものとなる形状および大きさ寸法に設定される。この仕切板部１２は、本実施例では、取付部１１側を下底としかつ吸着固定部１３側を上底とした台形状であって、取付角度を考慮しつつ屋根４０の形状およびそこに設置されたソーラーパネル３０の位置関係に応じた台形状での高さ寸法とされている。これにより、仕切板部１２は、設定された取付角度とされて凹部４４内に位置されると、長尺方向Ｄｌで見てソーラーパネル３０が設置された屋根４０の凹部４４に沿う形状となる（図６参照）。このため、仕切板部１２では、台形状の下底に相当する上縁辺１２ａに、２つの取付部１１が設けられている。なお、本実施例の仕切板部１２では、上縁辺１２ａ（台形状の下底）の両端位置が切り落とされた形状とされている。これは、取付対象となるソーラーパネル３０とそれが設置された屋根４０との位置関係および形状から、後述するように各凹部４４に位置させて複数の空間遮蔽具１０（仕切板部１２）を設けた際に、隣接する空間遮蔽具１０の互いの仕切板部１２が干渉することを防止することによる（図５および図６参照）。なお、干渉するものであっても、その干渉する箇所を互いに重ねて配置すれば良いので、両端位置を切り落とすことのない形状としてもよい。この仕切板部１２では、台形状の上底に相当する下縁辺１２ｂに吸着固定部１３が設けられている。
【００２５】
その吸着固定部１３は、永久磁石の磁力を利用して屋根４０（その底面４１）に吸着することが可能とされている。吸着固定部１３は、屋根４０の凹部４４の内方において、底面４１に密着可能な大きさ寸法とされている。すなわち、吸着固定部１３は、凹部４４を形成する底面４１上に置かれた状態において、同じく当該凹部４４を形成する両側面４３と干渉することのない大きさ寸法とされている。この吸着固定部１３は、本実施例では、防錆コーティングが施された永久磁石で形成されており、仕切板部１２に設定された取付角度に応じて当該仕切板部１２の下縁辺１２ｂに固定されて設けられている。その取付角度に応じるとは、屋根４０の凹部４４の内方で仕切板部１２が取付角度とされると、吸着固定部１３が当該凹部４４の底面４１に適切に吸着することを可能とする姿勢とされることを言う。なお、この吸着固定部１３は、取付部１１の爪片部分１１ａ（取付固定部分）と同様に、仕切板部１２に対する角度を変更自在とするヒンジ機構等の自在連結部分を介して当該仕切板部１２に設けられているものとしてもよい。また、吸着固定部１３は、永久磁石の磁力を利用して屋根４０（その底面４１）に吸着することを可能とするものであれば、永久磁石にヨークを設けて構成するものとしてもよく、磁力を利用することを妨げない筐体内に永久磁石を収納して構成するものとしてもよい。
【００２６】
次に、このように構成された空間遮蔽具１０の取り付ける対象とする各ソーラーパネル３０への取り付け方法について、図５から図７を用いて説明する。この空間遮蔽具１０は、各ソーラーパネル３０が設置された屋根４０における各凹部４４（その位置）に対応させて取り付ける。このため、空間遮蔽具１０では、先ず、屋根４０の対応させる凹部４４の上方となる位置において、取付部１１をソーラーパネル３０の周縁部となる支持枠部３２に取り付ける。詳細には、取付部１１の爪片部分１１ａのＵ字形状に折り返された先端箇所を、支持箇所３２ａで発電パネル部３１の周辺部を支持している支持枠部３２における発電パネル部３１（その表面）と上縁片部分３２ｄとの間のスリット状の隙間に差し込む（図７参照）。すると、爪片部分１１ａは、上縁片部分３２ｄを覆うように当該上縁片部分３２ｄに引っ掛かって固定される（図７参照）。これにより、取付部１１は、ソーラーパネル３０の支持枠部３２（周縁部）に取り付けられる。
【００２７】
その後、空間遮蔽具１０では、吸着固定部１３を対応させる凹部４４を形成する底面４１上に置く。すると、吸着固定部１３は、屋根４０（底面４１）が磁力により吸着される材料から為るものであることから、その底面４１に吸着して固定される。このとき、空間遮蔽具１０では、吸着固定部１３が仕切板部１２で設定された取付角度に応じて当該仕切板部１２の下縁辺１２ｂに固定されて設けられていることから、その吸着固定部１３が底面４１に適切に吸着する。また、空間遮蔽具１０では、仕切板部１２が取付角度を考慮しつつ屋根４０に設置されたソーラーパネル３０の位置関係に応じた台形状での高さ寸法とされていることから、支持枠部３２（周縁部）に取り付けられた取付部１１と底面４１に適切に吸着した吸着固定部１３との間で仕切板部１２が設定された取付角度とされる。これは、空間遮蔽具１０では、支持枠部３２（周縁部）に取り付けられた取付部１１（その位置）を基準として、仕切板部１２の長さ寸法だけ離れた位置で吸着固定部１３が底面４１に吸着することによる。
【００２８】
この状態の空間遮蔽具１０では、長尺方向Ｄｌで見ると、図６に示すように、仕切板部１２における台形状の脚に相当する箇所が、屋根４０の凹部４４に沿うものすなわち当該凹部４４を形成する両側面４３と略平行に伸びるものとされている。これは、空間遮蔽具１０では、仕切板部１２が、取付角度を考慮しつつ屋根４０に設置されたソーラーパネル３０の位置関係に応じた台形状での高さ寸法とされていて、長尺方向Ｄｌで見てソーラーパネル３０が設置された屋根４０の凹部４４に沿う形状とされていることによる。
【００２９】
ここで、空間遮蔽具１０では、取付部１１が自在連結部分１１ｂを介して爪片部分１１ａを仕切板部１２に連結させる構成とされていることから、取付部１１がソーラーパネル３０の支持枠部３２（周縁部）に取り付けられていることに起因して上記した一連の取り付け動作が阻害されることはなく、上記した取り付けられた状態とすることができる。また、空間遮蔽具１０では、取付部１１が自在連結部分１１ｂを介して爪片部分１１ａを仕切板部１２に連結させる構成とされていることから、上記した一連の取り付け動作において、ソーラーパネル３０の支持枠部３２（周縁部）に取り付けられた取付部１１に不測の大きな力が作用することを防止することができ、当該取付部１１が支持枠部３２（周縁部）から外れることを防止することができる。
【００３０】
このように、空間遮蔽具１０は、対応させる凹部４４の上方位置において爪片部分１１ａを利用して取付部１１をソーラーパネル３０の支持枠部３２（周縁部）に取り付け、その状態のまま吸着固定部１３を対応させる凹部４４を形成する底面４１上に置くだけで、適切に取り付けることができる。このように取り付けられると、空間遮蔽具１０は、長尺方向Ｄｌで見ると、金属材料から為り平滑な面を形成する平板状を呈する仕切板部１２で、凹部４４の形状に沿う空間５１を遮蔽している（図６参照）。また、空間遮蔽具１０は、直交方向Ｄｃで見ると、凹部４４を形成する底面４１からソーラーパネル３０（発電パネル部３１）の表面へ向かう傾斜面を仕切板部１２で形成している（図７参照）。換言すると、空間遮蔽具１０は、ソーラーパネル３０の表面側で支持枠部３２に取り付けられた取付部１１から底面４１に吸着された吸着固定部１３へと向かうに連れて、ソーラーパネル３０から遠ざかる傾斜面を仕切板部１２で形成している。
【００３１】
このため、空間遮蔽具１０は、図５および図６に示すように、空間５１における外方と通じる箇所を仕切板部１２で遮蔽することができるので、鳥が侵入することを防止することができる。また、空間遮蔽具１０は、図７に示すように、長尺方向Ｄｌで空間５１の内方へ向けた風Ｗが吹いた場合であっても、金属材料から為り平滑な面を形成する平板状を呈する仕切板部１２が風Ｗの通過を阻むことから、当該風Ｗが空間５１内へと吹き込むことを防止することができる。特に、空間遮蔽具１０は、本実施例では、凹部４４を形成する底面４１からソーラーパネル３０の表面へ向かう傾斜面を仕切板部１２で形成していることから、凹部４４から仕切板部１２の表面に沿ってソーラーパネル３０の表面へと逃がす空気の流れＦを形成することができるので、風Ｗを円滑に逃がすことができる。
【００３２】
本願発明に係る空間遮蔽具の一実施例としての空間遮蔽具１０では、空間５１における外方と通じる箇所を遮蔽する仕切板部１２の下端が吸着固定部１３により底面４１に吸着されて固定されている。このため、空間遮蔽具１０では、仕切板部１２に鳥が接触することや風が当たる等により圧力がかかった場合であっても、その仕切板部１２が屋根４０（その底面４１）にぶつかってしまったり、当該仕切板部１２が屋根４０（その底面４１）を引っ掻いてしまったりすることを防止することができる。これにより、空間遮蔽具１０では、屋根４０（底面４１）を傷付けてしまうことを防止することができる。
【００３３】
また、空間遮蔽具１０では、空間５１における外方と通じる箇所を遮蔽する仕切板部１２の下端が吸着固定部１３により底面４１に吸着されて固定されているとともに、その仕切板部１２の上端が取付部１１によりソーラーパネル３０の支持枠部３２（周縁部）に取り付けられている。このため、空間遮蔽具１０では、仕切板部１２の上端のみが固定されている構成と比較して、鳥が接触することや風が当たる等により圧力がかかった場合に仕切板部１２が変形することをより防止しつつ当該仕切板部１２の強度を下げることができる。これにより、仕切板部１２を形成する材料の自由度を高めることができるとともに、同じ材料であれば軽量化や形状の簡易化を図ることができる。
【００３４】
さらに、空間遮蔽具１０では、磁力により吸着される材料から為る屋根４０に設置されたソーラーパネル３０を取付対象とするとともに、仕切板部１２の下端に設けた吸着固定部１３を永久磁石の磁力を利用して屋根４０（その底面４１）に吸着することを可能としている。このため、空間遮蔽具１０では、吸着固定部１３を屋根４０（その底面４１）上に置くだけで、仕切板部１２の下端を当該屋根４０（その底面４１）に固定することができる。
【００３５】
空間遮蔽具１０では、仕切板部１２が長尺方向Ｄｌで見てソーラーパネル３０が設置された屋根４０の凹部４４に沿う形状とされていることから、取付部１１をソーラーパネル３０の支持枠部３２（周縁部）に取り付けるとともに吸着固定部１３を底面４１に固定することで、空間５１における外方と通じる箇所を仕切板部１２で遮蔽することができる。このため、空間遮蔽具１０では、鳥が侵入することを防止することができるとともに、風Ｗが空間５１内へと吹込むことを防止することができる。
【００３６】
空間遮蔽具１０では、吸着固定部１３が、屋根４０の凹部４４の内方において底面４１に密着可能な大きさ寸法、すなわち凹部４４を形成する底面４１上に置かれた状態において当該凹部４４を形成する両側面４３と干渉することのない大きさ寸法とされている。このため、空間遮蔽具１０では、吸着固定部１３を屋根４０（底面４１）上に置くだけで、吸着固定部１３すなわち取付部１１により上端がソーラーパネル３０の支持枠部３２（周縁部）に取り付けられた仕切板部１２の下端を屋根４０（底面４１）に適切にかつ確実に固定することができる。
【００３７】
空間遮蔽具１０では、仕切板部１２が風を通すことを防止するものとされていることから、空間５１における外方と通じる箇所を仕切板部１２で遮蔽することで、風Ｗが空間５１内へと吹込むことを確実に防止することができる。
【００３８】
空間遮蔽具１０では、仕切板部１２が金属材料から為り平滑な面を形成する平板状を呈するものとされていることから、簡易な構成で風Ｗが空間５１内へと吹込むことをより確実に防止することができる。
【００３９】
空間遮蔽具１０では、取付部１１が、発電パネル部３１（その表面）と支持枠部３２の支持箇所３２ａの上縁片部分３２ｄとの間のスリット状の隙間に差し込むことが可能な先端箇所とされた爪片部分１１ａを有するものとされている。このため、空間遮蔽具１０では、爪片部分１１ａの先端箇所を発電パネル部３１（その表面）と支持枠部３２の上縁片部分３２ｄとの間のスリット状の隙間に差し込むだけで、取付部１１をソーラーパネル３０の支持枠部３２（周縁部）に取り付けて固定することができる。
【００４０】
空間遮蔽具１０では、取付部１１が、爪片部分１１ａのＵ字形状に折り返された先端箇所を発電パネル部３１（その表面）と上縁片部分３２ｄとの間のスリット状の隙間に差し込むことにより、上縁片部分３２ｄを覆うように当該上縁片部分３２ｄに引っ掛けて固定することが可能とされている。このため、空間遮蔽具１０では、より簡単に取付部１１をソーラーパネル３０の支持枠部３２（周縁部）に取り付けることができるとともに、その取付部１１が支持枠部３２（周縁部）から外れることを防止することができる。
【００４１】
空間遮蔽具１０では、仕切板部１２が、９０度未満で零度よりも大きく取付角度が設定されるとともに、その取付角度を考慮しつつ屋根４０に設置されたソーラーパネル３０の位置関係に応じた高さ寸法とされて、長尺方向Ｄｌで見てソーラーパネル３０が設置された屋根４０の凹部４４に沿う形状とされている。このため、空間遮蔽具１０では、取付部１１と吸着固定部１３とで仕切板部１２を固定すると、直交方向Ｄｃで見ると、底面４１からソーラーパネル３０の表面へ向かう傾斜面を仕切板部１２で形成すること、換言すると、取付部１１から吸着固定部１３へと向かうに連れてソーラーパネル３０から遠ざかる傾斜面を仕切板部１２で形成することができる。これにより、空間遮蔽具１０では、凹部４４から仕切板部１２の表面に沿ってソーラーパネル３０の表面へと逃がす空気の流れＦを形成することができるので、風Ｗを円滑に逃がすことができる。よって、空間遮蔽具１０では、風Ｗが空間５１内へと吹込むことを防止することができるとともに、その風Ｗから受ける圧力（風圧）を低減することができ、極めて強い風Ｗであっても対応することができる。
【００４２】
空間遮蔽具１０では、取付部１１が自在連結部分１１ｂを介して爪片部分１１ａを仕切板部１２に連結させる構成とされている。このため、空間遮蔽具１０では、取付部１１がソーラーパネル３０の支持枠部３２（周縁部）に取り付けられていることにより、仕切板部１２を対応させる凹部４４の内方に位置させつつ吸着固定部１３を屋根４０（底面４１）上に置く動作（取り付け動作）が阻害されることを防止することができる。また、空間遮蔽具１０では、上記した取り付け動作において、ソーラーパネル３０の支持枠部３２（周縁部）に取り付けられた取付部１１に不測の大きな力が作用することを防止することができ、当該取付部１１が支持枠部３２（周縁部）から外れることを防止することができる。
【００４３】
空間遮蔽具１０では、取付部１１（爪片部分１１ａ（取付固定部分））が仕切板部１２の上縁辺１２ａよりも小さな長さ寸法とされ、かつ屋根４０に設置されたソーラーパネル３０の支持枠部３２に取り付けられた状態において直交方向Ｄｃで見て各凹部４４の開放上部の長さ寸法（互いに隣り合う２つの上面４２の間の寸法）よりも小さな大きさ寸法とされている。このため、空間遮蔽具１０では、直交方向Ｄｃで見たソーラーパネル３０と屋根４０の各凹部４４のとの位置関係に拘わらず、取付部１１をソーラーパネル３０の支持枠部３２（周縁部）に取り付けることができる。これは、例えば、取付部１１が、屋根４０の各凹部４４の形状に合わせて上方に向かうに連れて幅寸法が大きくなる仕切板部１２の上縁辺１２ａの全域に渡る大きさ寸法とされていると、対応させる凹部４４の上方の全域に渡って単一のソーラーパネル３０の支持枠部３２（周縁部）が位置していない場合には、その支持枠部３２（周縁部）に当該取付部１１を取り付けることができなくなってしまうことによる。すなわち、対応させる凹部４４の上方に２つのソーラーパネル３０が位置していると、各ソーラーパネル３０の端部でそれぞれの支持枠部３２（周縁部）が途切れてしまうこととなるので、当該途切れた箇所により上縁辺１２ａの全域に渡る大きさ寸法の取付部１１の取り付けが阻害されてしまうことによる。
【００４４】
空間遮蔽具１０では、取付部１１の爪片部分１１ａが、それが引掛けられる上縁片部分３２ｄに合わせて厚さ寸法を漸減させるものとされていることから、その上縁片部分３２ｄに取り付けた状態において、ソーラーパネル３０（発電パネル部３１）の表面上に生じさせる段差を小さなものとすることができる。これにより、空間遮蔽具１０では、発電パネル部３１の表面上を流れる風からの圧力を低減することができる。
【００４５】
したがって、本発明に係る空間遮蔽具１０では、屋根４０を傷付けてしまうことを防止しつつソーラーパネル３０と屋根４０との間の空間５１を遮蔽することができる。
【００４６】
なお、上記した実施例では、本願発明に係る空間遮蔽具１０について説明したが、磁力により吸引される材料から為る屋根に設置され太陽エネルギーから電力を創り出すソーラーパネルの周縁部に取り付け可能とされた取付部と、前記屋根と前記ソーラーパネルとの間を遮蔽すべく前記取付部から前記屋根に向けて伸びる仕切板部と、前記仕切板部の前記屋根側の端部に設けられ永久磁石の磁力を利用して前記屋根に吸着する吸着固定部と、を備える空間遮蔽具であればよく、上記した実施例に限定されるものではない。
【００４７】
また、上記した実施例では、ソーラーパネル３０が光エネルギーを直接電力に変換する電力機器である太陽電池（セル）で構成されているものとしていたが、太陽エネルギーを電力に変換するものであれば、他の方法により太陽光を電力に変換するものであってもよく、太陽光と併せて太陽からの熱エネルギーを電力に変換するものであってもよく、上記した実施例に限定されるものではない。
【００４８】
さらに、上記した実施例では、仕切板部１２が、金属材料から為り平滑な面を形成する平板状を呈するものとされていたが、図８に示すように網目状とされた平板から為る仕切板部１２Ａ（それを有する空間遮蔽具１０Ａ）としてもよく、上記した実施例に限定されるものではない。この空間遮蔽具１０Ａでは、仕切板部１２Ａの網目（孔の大きさ、位置および個数）を調整することにより、通過させる風の量を調整することができる。このため、空間遮蔽具１０Ａでは、空間５１に吹き込むことにより問題が生じ得る風Ｗの強さ（風速）に基づいて仕切板部１２Ａの網目（孔の大きさ、位置および個数）を調整することにより、仕切板部１２と同様に空気の流れＦ（図７参照）を形成することができ、空間５１に吹き込むことに起因する問題を防止することができる。加えて、空間遮蔽具１０Ａでは、仕切板部１２Ａとしていることから、調整したよりも少ない量であれば仕切板部１２Ａが風を通過させることができるので、空間５１を含むソーラーパネル３０と屋根４０との間での換気をより円滑なものとすることができる。
【００４９】
上記した実施例では、仕切板部１２が、金属材料から為り平滑な面を形成する平板状を呈するものとされていたが、屋根（４０）とソーラーパネル（３０）との間を遮蔽すべく取付部（１１）から屋根（４０）に向けて伸びるものであればよく、好適には全体に板状を呈するものであって風を通さないものであればよく、上記した実施例に限定されるものではない。
【００５０】
上記した実施例では、取付対象としてソーラーパネル３０を示していたが、磁力により吸着される材料から為る屋根に設置されているソーラーパネルを取付対象とするものであればよく、上記した実施例に限定されるものではない。
【００５１】
上記した実施例では、取付対象とするソーラーパネル３０が設置された屋根４０の凹部４４の底面４１が平坦な面とされていたが、凹部４４の底（建物側となる壁面）を規定するものであれば湾曲されたり尖端状とされたり等のように他の形状であってもよく、上記した実施例に限定されるものではない。
【００５２】
上記した実施例では、取付対象とするソーラーパネル３０が設置された屋根４０の凸部４５の上面４２が平坦な面とされていたが、凸部４５の頂点（ソーラーパネル３０側となる壁面）を規定するものであれば湾曲されたり尖端状とされたり等のように他の形状であってもよく、上記した実施例に限定されるものではない。
【００５３】
上記した実施例では、取付対象とするソーラーパネル３０が設置された屋根４０が、各凹部４４と各凸部４５とが略等しい形状すなわち各底面４１と各上面４２とが略等しい幅寸法（直交方向Ｄｃで見た大きさ寸法）とされていたが、互いに異なる幅寸法とされて互いに異なる形状とされていてもよく、上記した実施例に限定されるものではない。
【００５４】
上記した実施例では、取付部１１に取付固定部分として爪片部分１１ａが設けられていたが、取付対象とするソーラーパネル３０の周縁部（支持枠部３２）に固定することができるものであれば、図９に示す空間遮蔽具１０Ｂのように支持枠部３２のフランジ部分３２ｆを挟み込んで支持することにより当該フランジ部分３２ｆに固定する取付部１１Ｂ（取付固定部分１１Ｂａ）を有するものであってもよく、他の構成であってもよく、上記した実施例に限定されるものではない。
【００５５】
上記した実施例では、取付部１１において、爪片部分１１ａ（取付固定部分）と仕切板部１２とを連結すべくヒンジ機構により構成された自在連結部分１１ｂが設けられていたが、爪片部分１１ａと仕切板部１２との角度関係すなわち仕切板部１２に対する爪片部分１１ａの角度を変更自在としつつ爪片部分１１ａと仕切板部１２とを繋ぐものであれば、紐やベルト帯等の帯状部材で形成するものであってもよく、ゴムやバネ等の弾性部材で形成するものであってもよく、可撓性を有する可撓部材で形成するものであってもよく、折り曲げ変形が可能とされた折曲部材で形成するものであってもよく、上記した実施例に限定されるものではない。
【００５６】
上記した実施例では、取付対象とするソーラーパネル３０の周縁部が発電パネル部３１を支持する支持枠部３２により形成されていたが、ソーラーパネル３０の表面を取り囲む周縁に位置するものであればよく、上記した実施例に限定されるものではない。そして、取付部１１は、当該周縁に位置する周縁部に取り付け可能とされたものであればよく、上記した実施例に限定されるものではない。
【００５７】
上記した実施例では、取付部１１（爪片部分１１ａ（取付固定部分））が仕切板部１２の上縁辺１２ａに互いに間隔をおいて２つ設けられていたが、上縁辺１２ａにおける取付位置および個数等は適宜設定すればよく、上記した実施例に限定されるものではない。
【００５８】
上記した実施例では、取付部１１（爪片部分１１ａ（取付固定部分））が仕切板部１２の上縁辺１２ａに固定されて設けられていたが、上縁辺１２ａに沿って移動可能に設けるものとしてもよい。このような構成は、例えば、上記した自在連結部分１１ｂを用いる場合、ヒンジ機構における上縁辺１２ａ側の部材を、上縁辺１２ａに設けたガイドレールに沿って移動可能な構成とすることで簡単に実現することができる。このような構成は、この例に限られたものではなく、自在連結部分１１ｂを用いるものとしても上述した他の自在連結部分を用いるものとしても自在連結部分を用いないものとしてもよく、ガイドレールを用いない他の構成としてもよい。このような構成とすると、直交方向Ｄｃで見たソーラーパネル３０と屋根４０の各凹部４４のとの位置関係の変化により柔軟に対応して、取付部１１をソーラーパネル３０の支持枠部３２（周縁部）に取り付けることができる。
【００５９】
以上、本発明の空間遮蔽具を実施例に基づき説明してきたが、具体的な構成については実施例に限られるものではなく、本発明の要旨を逸脱しない限り、設計の変更や追加等は許容される。また、前記構成部材の数、位置、形状等は実施例に限定されず、本発明を実施する上で好適な数、位置、形状等にすることができる。
【符号の説明】
【００６０】
１０、１０Ａ、１０Ｂ  空間遮蔽具
１１、１１Ｂ  取付部
１１ａ  爪片部分
１１Ｂａ  取付固定部分
１１ｂ  自在連結部分
１２、１２Ａ  仕切板部
１３  吸着固定部
３０  ソーラーパネル
３１  発電パネル部
３２  （ソーラーパネルの周縁部としての）支持枠部
３２ｄ  上縁片部分
４０  屋根
４１  底面
４４  凹部
４５  凸部
Ｄｌ  長尺方向
Ｄｃ  直交方向
【図１】
2015123005.tif 000003
【図２】
2015123005.tif 000004
【図３】
2015123005.tif 000005
【図４】
2015123005.tif 000006
【図５】
2015123005.tif 000007
【図６】
2015123005.tif 000008
【図７】
2015123005.tif 000009
【図８】
2015123005.tif 000010
【図９】
2015123005.tif 000011